(57)【特許請求の範囲】
【請求項１】
適宜間隔に立設された複数の支柱の側壁を貫通して設けられた通孔に取り付けられる支持金具を介して前記通孔の貫通芯の延長線上にビームパイプが架設される防護柵において、連続する防護柵の最端部の支柱の側壁に設けられた一方の通孔に取り付けられた支持金具にビームパイプの端部が固定されて支柱に接続され、支柱側壁の反対側の通孔には該通孔を塞ぐキャップが被せられたことを特徴とする防護柵。
【請求項２】
適宜間隔に立設された複数の支柱の側壁を貫通して設けられた通孔にビームパイプの端部が差し込まれて支柱とビームパイプの接続がなされる防護柵において、連続する防護柵の最端部の支柱の側壁に設けられた一方の通孔にビームパイプの端部が差し込まれて支柱に接続され、支柱側壁の反対側の通孔には該通孔を塞ぐキャップが被せられたことを特徴とする防護柵。
【請求項３】
支柱を貫通して設けられた支柱中心から両側の通孔が同径となされ、この支柱が防護柵の最端部の支柱とその他の中間部の支柱とに兼用して用いられ、中間部の支柱の両側の通孔にそれぞれビームパイプの端部が接続されることを特徴とする請求項１または２記載の防護柵。
【請求項４】
キャップに反射体が付設されることを特徴とする請求項１、２または３に記載の防護柵。
【請求項５】
反射体は、その底面に鏡面処理がなされて再帰反射性を有するガラス製球体が樹脂製の基体に半埋込状態に保持されたガラス球式反射体からなることを特徴とする請求項４記載の防護柵。
【請求項６】
反射体は、反射板上に空気層を間において透明合成樹脂製のプリズム成形品が配置されて再帰反射性を有するものとなされたプリズム式反射体からなることを特徴とする請求項４記載の防護柵。
【請求項７】
キャップがゴムまたは合成樹脂からなる弾性体で構成されることを特徴とする請求項１〜６のいずれか１項記載の防護柵。
【発明の詳細な説明】
【０００１】
【発明の属する技術分野】
本発明は、道路等に設置される支柱とビームで構成される防護柵に関する。
【０００２】
【従来の技術】
従来道路等に設置される支柱とビームから構成される防護柵は、支柱の前面に固定された継手を介してビームの接続がなされる「フロントビーム式」のもの、および適宜間隔に立設された支柱の隣接する支柱側の側面に開けられた通孔にビームパイプ端部を接続して架設させる「センタービーム式」のものに大別され、一般に「フロントビーム式」のものが１種類の支柱によって構成されるものの、従来の「センタービーム式」防護柵は例えば実開平７−６４２８号公報のように支柱を貫通するボルトによってビーム端部が継手を介して固定される形態の場合、この柵の最端部にボルト頭部を露出させないために最端部の支柱側壁に孔のない端用支柱を用い、固定時にＴ字形となる特殊ボルトで固定される等継手を介してビーム端部の接続固定がなされ、あるいはまた特開平７−３１７０３２号公報や特開平８−２９６２１３号公報に示す形態においては、支柱側壁の通孔に差し込まれるビームパイプ端部の先端に設けられた差込孔にビーム毎に差し込まれる止めピン、または複数段数設けられたビームパイプの全ての差込孔に同時に挿入される長尺の止めピンにより、ビームパイプの支柱からの抜けが防止されて支柱とビームからなる防護柵が構成され、この場合においても柵の最端部に位置する支柱のビーム接続側にのみに孔が設けられた端用支柱が用いられている。
【０００３】
ここで、かかる従来の「センタービーム式」の防護柵を構成する主要部材は、図６に示すように、１：支柱（中用），１０：支柱（端用），２：ビームパイプからなり、支柱（中用）１，支柱（端用）１０とビームパイプ２とは図７のように、支柱１０，１の側壁に開けられた通孔１１に差し込まれるビームパイプ２の端部先端に設けられた差込孔２１に止めピン３が差し込まれ固定されている。
なお防護柵としては、図６（ａ）：上下のビームパイプ間に多数の縦桟２２が差し渡されるもの、（ｂ）：支柱間にビームパイプが複数段数架設されるものが代表的で、ここにおいては（ａ），（ｂ）共に支柱１０，１の側壁間に架設される横桟をビームパイプ２としている。
【０００４】
【発明が解決しようとする課題】
上述したように、従来の「センタービーム式」防護柵を構成する支柱としては支柱１（中用）と支柱１０（端用）との使い分けが必要なため、在庫管理が手間で部材数量確認の際に中用と端用を正確に数える必要があり、また施工現場でも中用支柱と端用支柱を所定の設計通りに割り振って配置をしなければならない。さらに、工区毎に設置時期を変えて（例えば、予算計画上年度別の工区設定等）設置される場合においては、異なる工区毎に端部支柱を設置することとなり、前工区分にビームパイプを接続延長して設置ができないという不都合が生じる。
【０００５】
そして、たとえ中用支柱を端部支柱として兼用させて貫通ボルトと支持金具による形態の防護柵を構成したとしても、その防護柵の最端部の支柱側壁には貫通ボルトの頭部が露出することとなり、ボルトの頭部が突出して柵端部が通行人の体や持ち物に接触し易い危険な状態となってしまうという問題を有していた。
【０００６】
また、近年景観に配慮された色使いという点から防護柵も、従来主流であった白からダークグレーやダークブラウンなど濃色のものが多用されるようになり、夜間の視認性という点からみれば周囲の背景との見分けがつきにくくなり、特に連続した防護柵の最端部に位置する支柱への接触事故の危険が高まる恐れがあり、従来のような反射輝度があまり高くなくて耐久性のそう良くない反射テープをただ貼るだけではなく、もっと確実な安全対策が求められてもいる。
【０００７】
【課題を解決するための手段】
本発明防護柵は、上述の「センタービーム式」防護柵の問題点を解消するものであり、使用する支柱の種類を１種類としてまず在庫管理を楽にし、さらに設計，現場の各段階での部材の確認や配置を単純化し、また工区毎に設置時期を変えて工事がなされる場合においても、前工区設置分に接続延長して設置可能とする等工事の省力化を図ろうとするものである。
【０００８】
加えて、貫通ボルトと接続継手で構成される形態の防護柵においても、防護柵最端部の支柱の側壁に突出される貫通ボルトの頭部を、通行人の体やその持ち物が接触した場合にも安全なようにキャップを設けて、中用支柱を端部支柱として兼用させて支柱の種類を１種類で構成させることを可能とするものである。
【０００９】
さらに、防護柵の最端部に位置する端部支柱への接触事故を防ぐために、反射輝度が高く、耐久性の良好な反射体を脱落や剥離のない確実な方法でキャップに一体化して付設させるものである。
【００１０】
そこで本発明防護柵においては、適宜間隔に立設された複数の支柱の側壁を貫通して設けられた通孔に取り付けられる支持金具を介して前記通孔の貫通芯の延長線上にビームパイプが架設される防護柵において、連続する防護柵の最端部の支柱の側壁に設けられた一方の通孔に取り付けられた支持金具にビームパイプの端部が固定されて接続され、支柱側壁の反対側の通孔には該通孔を塞ぐキャップが被せられたものである。
【００１１】
また、本発明防護柵においては、適宜間隔に立設された複数の支柱の側壁を貫通して設けられた通孔にビームパイプの端部が差し込まれて支柱とビームパイプの接続がなされる防護柵において、連続する防護柵の最端部の支柱の側壁に設けられた一方の通孔にビームパイプの端部が差し込まれて支柱に接続され、支柱側壁の反対側の通孔には該通孔を塞ぐキャップが被せられたものである。
【００１２】
なおまた、本発明防護柵においては、支柱を貫通して設けられた支柱中心から両側の通孔が同径となされ、この支柱が防護柵の最端部の支柱とその他の中間部の支柱とに兼用して用いられ、中間部の支柱の両側の通孔にそれぞれビームパイプの端部が接続されて防護柵が構成されるものである。
【００１３】
また、本発明防護柵は、上述の形態の防護柵においてキャップに反射体の付設がなされたものである。
【００１４】
そして、本発明防護柵は、反射体がその底面に鏡面処理がなされて再帰反射性を有するガラス製球体が樹脂製の基体に半埋込状態に保持されたガラス球式反射体からなるものである。
【００１５】
そしてまた、本発明防護柵は、反射体が反射板上に空気層を間において透明合成樹脂製のプリズム成形品が配置されて再帰反射性を有するものとなされたプリズム式反射体からなるものである。
【００１６】
さらにまた、本発明防護柵は、端部支柱の通孔に被せられて取り付けられるキャップがゴムまたは合成樹脂からなる弾性体で構成されるものである。
【００１７】
【発明の実施の形態】
以下、図面に基づいて本発明防護柵の実施形態について詳述する。
図１，２は、防護柵を構成する支柱とビームとが支柱を貫通する固定ボルトとビームを接続させる支持金具（接続継手）とで構成される形態の防護柵について、続く図３〜５は、防護柵を構成するビームが支柱を貫通する通孔に差し込まれて止めピンを介して支柱に接続される形態の防護柵について、それぞれ本発明を適用させた場合を表している。
【００１８】
図１，２は防護柵を構成する中間用支柱１を貫通して設けられた通孔１１に貫通された固定ボルト７と支持金具６で構成される形態の防護柵において、防護柵最端部の支柱１の側壁に突設される固定ボルト７の頭部を介して図１（ａ）に示すように端部の支柱１の通孔１１にキャップ４が被せられ、あるいは図１（ｂ）に示すようにキャップ４に反射体５が付設され、さらにキャップ４がゴムまたは合成樹脂等弾性体で構成される本発明の実施形態の例を表したものである。
【００１９】
ここで、本実施形態の例に用いられる連続する防護柵の最端部の支柱１はその中間に立設される多数の支柱とまったく共通のものが用いられ、本実施形態の例では支柱１，ビームパイプ２はそれぞれ亜鉛メッキ下地処理に静電粉体塗装仕上げがなされた鋼管が用いられ、ここでは支柱１に６０．５mmφ（厚さ３．２mm）、ビームパイプ２に４２．７mmφ（厚さ２．３mm）のものが用いられている。
【００２０】
図１（ａ）において、キャップ４には固定ボルト７の頭部形状に適合した嵌合部４１が形成され、固定ボルト７の頭部にこのキャップ４の嵌合部４１が嵌め込まれたうえで支持金具６を固定ボルト７のボルト先端にナットを螺合させて強固に固定させることによって、固定ボルト７のボルト頭部を介して支柱１の側壁の通孔にキャップが被せられたものである。さらに、図１（ｂ）の例においては、キャップ４に反射体５が付設されたものである。
【００２１】
キャップ４は、アルミや亜鉛の鋳造品やゴム，合成樹脂の射出成型品によって図に表すように緩やかな曲面を構成されるものが人の持ち物等が引っ掛かることがなく好適であり、天然ゴム，合成ゴム，エラストマー等の弾性体で構成された場合にはこれに人体の一部が触れた場合にもケガする心配がなく安全である。
【００２２】
そして、図２に示す如く長寸嵌合部４２が複数の固定ボルト７の頭部に渡って嵌合されて長尺キャップ４０として支柱端部側面に沿って被せられた場合には、防護柵最端部に位置する端部支柱１の側面全体をソフトな樹脂やゴム等の弾性体でカバーすることが出来て安全な柵の端部を構成することとなる。
【００２３】
さらに、長尺キャップ４０の支柱端部側面への固定方法としては、図２（ａ）のような上述の固定ボルト７頭部への固定以外に、（ｂ）のように長尺キャップ４０自体に支柱１端部の通孔１１に嵌合される嵌合片４３が形成されたものや、（ｃ）のように長尺キャップ４０に支持金具６を固定させる固定ボルト７のボルト先端に螺合されるネジ孔４４が形成されて固定されたものであってもよい。
【００２４】
反射体５の種類としては、図１（ｂ）のような反射板上に空気層を間において透明合成樹脂製のプリズム成形品が配置され再帰反射性を有するものとなされたプリズム式反射体５３や、図２（ｃ）に示す如きその底面に鏡面処理がなされて再帰反射性を有するガラス球製反射器５１が、ＡＢＳ樹脂等からなる基体５２に半埋込状態に保持されたガラス球式反射体５０が用いられた場合には、従来のガラスビーズ製シート状反射体が端部から雨水が侵入したり表層のフィルムの劣化によって耐久性が劣るのと比較して耐久性に優れ、かつ表層フィルムによる反射輝度の低下現象もないことから２倍以上の反射性能を有し、長期にわたって高い夜間の視認性を維持出来て、防護柵の安全性が確保される。
【００２５】
図３は防護柵を構成する中間用支柱１を貫通して設けられたビームパイプ２の外径寸法より大きい寸法の通孔１１にビームパイプ２端部が差し込まれて支柱１とビームパイプ２との接続がなされる形態の防護柵において、防護柵の最端部の支柱の側壁に設けられた一方の通孔にビームパイプの端部が差し込まれて支柱に接続され、この支柱の側壁の反対側の通孔１１にキャップ４が被せられ支柱側壁仕上げ側面となされ、キャップ４に反射体５が付設された様子を表している。
【００２６】
そして、この防護柵の最端部に位置する支柱の支柱中心から両側の通孔１１は同径となされていて最端部に位置する支柱と連続する防護柵の中間部の支柱とが兼用して用いられ、この防護柵は１種類の支柱で構成されている。
【００２７】
なお、本実施形態の例においても先述した図１，２の実施形態の例と同様に、支柱１，ビームパイプ２はそれぞれ亜鉛メッキ下地処理に静電粉体塗装仕上げの鋼管が用いられ、本実施の形態の例では支柱１に７６．３mmφ（厚さ３．２mm）、ビームパイプ２に４２．７mmφ（厚さ２．３mm）のものが用いられている。
【００２８】
図４は、本発明に係るキャップ４の実施形態の２例を表しており、（ａ）には図１の実施形態の例を示し、支柱１の側壁の通孔１１にポリアセタール、ＡＢＳ、ポリカーボネート、ポリエチレン、ポリプロピレン等の合成樹脂や天然ゴム，合成ゴム等弾性材料によって成型されたキャップ４が被せられて支柱１の側壁仕上げ側面となされ、キャップ４に反射体５が付設された様子を表している。
そして同図（ｂ）には鋼板のプレス成形、あるいはアルミ合金や鋳鉄製鋳物等金属製のキャップ４が、ビームパイプ２の差込孔２１に差し込まれる止めピン３によって固定されるのと同様に、キャップ４の差込孔４５に止めピン３が差し込まれて固定がなされ、さらに反射体５が付設された様子を表している。
【００２９】
反射体５は、図４（ａ）の場合、底面に鏡面処理によって再帰反射性を有するガラス球製反射器５１がＡＢＳ樹脂等からなる基体５２に半埋設状態に保持されたガラス球式反射体５０が接着によってキャップ４に固着されており、また図４（ｂ）の場合には反射板との間に空気層を介して透明度の高いアクリルやポリカーボネート等の合成樹脂製プリズムが配置されたプリズム式反射体５３が接着によってキャップ４に固着されている。
なお、反射体５はキャップ４に対して接着以外に、後述の図５中に表すようにネジ止め、あるいはガラス球式反射体５０を構成する基体５２そのものを支柱１の通孔１１に被せるキャップとして一体的に成型されたものであってもよい。
【００３０】
続く図５は、本発明に係る防護柵の端部に位置する支柱１の、ビームパイプ２端部が差し込まれて止めピン３によりビームパイプ２の固定がなされる側と反対側の支柱側壁の通孔１１に反射体５が付設されたキャップ４が被せられた防護柵の最端部を示しており、この防護柵が歩車道の境界に設置された場合に、防護柵の設置中心線である通り芯より車道側に５〜１５°向けて車道を走行する車両のヘッドライト等の入射光Ｘに反射中心を対向させた状態でこのキャップ４が製作されて取り付けられた様子を表している。
【００３１】
加えて図５においては、従来端部から侵入する雨水によって耐久性の良くない反射シートに代わって劣化の少ないガラスを用いたガラス球式反射体５０が用いられて反射輝度と耐久性の大幅向上がなされ、上述したようにヘッドライト等の入射光に反射中心を対向させた状態となされることで夜間の視認性は大幅に向上して安全が確保される。
【００３２】
【発明の効果】
以上詳述した如く、本発明防護柵は従来「センタービーム式防護柵」の最大の問題点であった、連続する防護柵の中間に用いられる中間支柱と防護柵の端部に位置する端部支柱という２種類の支柱のうち、端部用支柱を中間用支柱と共通化して支柱中心から両側に同径の通孔を貫通させたもの１種類としたことによって在庫管理が楽になり、設計，現場の各段階での部材確認や配置の単純化に伴って準備・施工が迅速になされて省力化に貢献し、また、工区毎に設置時期を変えて工事がなされる場合には前工区設置分に接続延長して設置される追加工事の際にキャップを外しビームを差し込んで通常通りの接続が可能となり短納期での施工がなされ、かつ前工区設置分の端部支柱がそのまま使用できてムダがない。
【００３３】
さらに、本発明防護柵は、上記最端部の支柱側壁の通孔に被せられるキャップに反射体が付設されるものであって、接触事故の可能性の高い防護柵の最端部の支柱の側壁にキャップによる端部支柱側壁の仕上げ側面が構成されて人や持ち物等が接触した際にも引っ掛かることなく安全であるのと同時に、キャップに反射体が付設されて防護柵の夜間の視認性向上がなされて安全が図られる。
【００３４】
なおまた、本発明防護柵は、反射体としてガラス球式反射体やプリズム式反射体が適用された場合、従来の反射シートに比較して反射輝度が高く、耐久性が良好となり長期間にわたって防護柵の最端部の夜間の視認性を高く維持することができる。
【００３５】
そしてまた、本発明防護柵は、キャップがゴムまたは合成樹脂からなる弾性体で構成されることによって、人が強く接触した際にも人体にキズ付けることなく防護柵の最端部にクッション性が付加されてより安全となる。
【図面の簡単な説明】
【図１】本発明実施の２つの形態例を示す断面図（一部は側面図）である。
【図２】本発明実施の他３つの形態例を示す断面図（一部は側面図，正面図）である。
【図３】本発明実施のさらに別の一形態を示す斜視図である。
【図４】本発明実施の形態を示す、（ａ）は図３の実施形態の例の部分の拡大断面図、（ｂ）はその一部異なる別の実施形態の例を表す部分の拡大断面図である。
【図５】図４（ａ）の実施の形態の展開について説明する部分断面図である。
【図６】「センタービーム式の防護柵」の代表例を従来の形態で示す正面図である。
【図７】図４の従来の形態の接続部分を表す部分断面図である。
【符号の説明】
１    支柱（中用）
１０  支柱（端用）
１１  通孔
２    ビームパイプ
２１  差込孔
２２  縦桟
３    止めピン
４    キャップ
４０  長尺キャップ
４１  嵌合部
４２  長寸嵌合部
４３  嵌合片
４４  ネジ孔
４５  差込孔
５    反射体
５０  ガラス球式反射体
５１  ガラス球製反射器
５２  基体
５３  プリズム式反射体
６    支持金具
７    固定ボルト
Ｘ    入射光
【図１】
0003806561.tif 000002
【図２】
0003806561.tif 000003
【図３】
0003806561.tif 000004
【図４】
0003806561.tif 000005
【図５】
0003806561.tif 000006
【図６】
0003806561.tif 000007
【図７】
0003806561.tif 000008